(57)【要約】      （修正有）【課題】プラスチックまたはガラスで形成された透明ドーム内の動作台座上のキャラクタに不特定のダンシング動作をさせると共に、好みのキャラクタを使用してマスコット等にも利用できるダンシングキャラクタカプセルを提供する。【解決手段】プラスチックまたはガラスで形成された透明ドーム１の下部は基部ハウジング２で嵌着されており、基部ハウジング内には電池７、電磁コイル６等が収納され、電磁コイルのＮ極とＳ極が交互に切り換えられ、動作台座４に組みこまれたマグネット４１に作用して、キャラクタ３に不特定のダンシング動作をさせる。透明ドームの下部と基部ハウジングを脱着して動作台座上に載置されるキャラクタを任意のキャラクタに交換自在に構成し、透明ドームの頂部にストラップ等の取付け部１１を形成したダンシングキャラクタカプセル。【選択図】図１
0003141265.tif 000002
【実用新案登録請求の範囲】
【請求項１】
プラスチックまたはガラスで形成された透明ドーム内の動作台座上にキャラクタを載置し動作台座の上でキャラクタが不特定のダンシング動作を行うように構成したことを特徴とするダンシングキャラクタカプセル。
【請求項２】
プラスチックまたはガラスで形成された透明ドームの下部は基部ハウジングで嵌着されており、基部ハウジング内には電池、電磁コイル等が収納され、電磁コイルのＮ極とＳ極が交互に切り換えられ、動作台座に組みこまれたマグネットに作用して、キャラクタに不特定のダンシング動作をさせるように構成したことを特徴とする請求項１記載のダンシングキャラクタカプセル。
【請求項３】
プラスチックまたはガラスで形成された透明ドームの下部と基部ハウジングを脱着して動作台座上に載置されるキャラクタを任意のキャラクタに交換自在に構成したことを特徴とする請求項１記載のダンシングキャラクタカプセル。
【請求項４】
プラスチックまたはガラスで形成された透明ドームの頂部にストラップ等の取付け部を形成したことを特徴とする請求項１記載のダンシングキャラクタカプセル。
【考案の詳細な説明】
【技術分野】
【０００１】  本考案はダンシングキャラクタカプセルに関し、特にプラスチックまたはガラスで形成された透明ドーム内の回転台上のキャラクタに不特定のダンシング動作をさせる玩具として楽しむと共に、好みのキャラクタを使用してマスコット等にも利用できるダンシングキャラクタカプセルに関する。
【背景技術】
【０００２】  従来、人形を模したロボット等にダンスをさせる玩具が考案されている。【０００３】
【実用新案文献１】
実用新案登録第３１１５５８４号公報
【実用新案文献２】
実用新案登録第３０８２４７１号公報
【特許文献３】  特開平１０−８０５７８号公報
【考案の開示】
【考案が解決しようとする課題】
【０００４】  前記せる実用新案登録第３１１５５８４号公報に開示された動作玩具は、基台上のフィギュア体を駆動機構によりステプップを踏むように構成され、メモリーに記憶したリズムで制御部を介して作動制御するものであった。【０００５】  しかしながら、この考案はプレイヤーの意思を反映して複雑な機構や制御回路を要するものであって、観察者が予期しない動作を行うものではなかった。【０００６】  また、前記せる実用新案登録第３０８２４７１号公報に開示された動作人形は胴体内に内臓される一つのゼンマイで腕部と脚部を動作させるものであって、単純な動作の繰り返しをするものであった。【０００７】  また、前記せる特開平１０−８０５７８号公報に開示された作動玩具は、ハズミ車とワンウエイクラッチを利用し、チャージしたハズミ車の慣性力で腕部を動揺させるものであり、単純な動作の繰り返しをするものであった。
【課題を解決するための手段】
【０００８】  本考案のダンシングキャラクタカプセルは、上記せる課題を解決するために鋭意研究の結果、考案されたものであり、キャラクタが予期せぬ不特定のダンシング動作を行い、プラスチックまたはガラスで形成された透明ドーム内の動作台座上にキャラクタを載置し動作台座の上でキャラクタが不特定のダンシング動作を行うように構成し、プラスチックまたはガラスで形成された透明ドームの下部は基部ハウジングで嵌着されており、基部ハウジング内には電池、電磁コイル等が収納され、電磁コイルのＮ極とＳ極が交互に切り換えられ、動作台座に組みこまれたマグネットに作用して、キャラクタに不特定のダンシング動作をさせるように構成し、プラスチックまたはガラスで形成された透明ドームの下部と基部ハウジングを脱着して動作台座上に載置されるキャラクタを任意のキャラクタに交換自在に構成し、且つ、プラスチックまたはガラスで形成された透明ドームの頂部にストラップ等の取付け部を形成したことを特徴とする請求項１記載のダンシングキャラクタカプセルを提供するものである。
【考案の効果】
【０００９】  本考案のダンシングキャラクタカプセルによれば、プラスチックまたはガラスで形成された透明ドーム内のキャラクタが不特定の予期せぬダンシング動作を楽しむばかりでなくドームにストラップをつけて使用者の込みのキャラクタを利用して携帯自在のマスコットとしても利用することができる。
【考案を実施するための最良の形態】
【００１０】  以下、図面に示す実施例に基づき、本考案の具体的な構成を説明する。
図面に於いて、図１は本考案に係るダンシングキャラクタカプセルを部分断面表示した正面図である。図２は本考案に係るダンシングキャラクタカプセルの使用状態を示す斜視図である。図３は本考案に係るダンシングキャラクタカプセルの使用状態を示す斜視図である。【００１１】  本考案のダンシングキャラクタカプセルは、図１に示すように、プラスチックまたはガラスで形成された透明ドーム１内の動作台座４の上にキャラクタ３を載置し動作台座４の上でキャラクタ３が不特定のダンシング動作を行うように構成されている。【００１２】  プラスチックまたはガラスで形成された透明ドーム１の下部は基部ハウジング２が嵌着されている。【００１３】  基部ハウジング２内には電池７、電磁コイル６等が収納され、回路基板５の制御により電磁コイル６のＮ極とＳ極が交互に切り換えられて動作台座４に組みこまれたマグネット４１，４１に作用して、キャラクタ３は動作台座４上で不特定のダンシング動作を行うように構成されている。【００１４】  動作台座４は固定軸８のボス部８１に固定され、固定軸８を中心にして往復円運動をするように構成されている。【００１５】    基部ハウジング２の下部には脚部２１，２１，２１が一体的に形成されており、特にダンシングキャラクタカプセルを机上等に載置して楽しむことができる。【００１６】  図２乃至図３に示すように、プラスチックまたはガラスで形成された透明ドーム１の下部と基部ハウジング２を脱着して動作台座４上に載置されるキャラクタ３を使用者の好みに合わせた任意のキャラクタ３に交換することができる。【００１７】  プラスチックまたはガラスで形成された透明ドーム１の頂部にリング１２を介してストラップ１３等を取り付けるための取付け部１１が形成されている。【００１８】  ストラップ１１はカバン等に取り付けてマスコットとして使用することもできる。
【図面の簡単な説明】
【００１９】
【図１】本考案に係るダンシングキャラクタカプセルを部分断面表示した正面図である。
【図２】本考案に係るダンシングキャラクタカプセルの使用状態を示す斜視図である。
【図３】本考案に係るダンシングキャラクタカプセルの使用状態を示す斜視図である。
【符号の説明】
【００２０】  １  透明ドーム
２  基部ハウジング
２１  脚部
３  キャラクタ
４  動作台座
４１  マグネット
５  回路基盤
６  電磁コイル
７  電池
８  固定軸
８１  ボス部
９  スイッチ
１０  空隙部
１１  取付け部
１２  リング
１３  ストラップ
【図１】
0003141265.tif 000003
【図２】
0003141265.tif 000004
【図３】
0003141265.tif 000005